(57)【特許請求の範囲】
【請求項１】
昇降機利用者（２）または物体に装備する情報発信器（５）と、前記情報発信器（５）のデータを受信する少なくとも一つの識別装置（６）とを備える昇降装置用識別システムであって、情報発信器のデータは、昇降機利用者（２）または物体の記憶された個々の特徴を含みまたは検索し、前記昇降装置用識別システムはさらに、
少なくとも一つのさらなる装置を、昇降機ケージ（１）に備え、該少なくとも一つのさらなる装置は、前記昇降機利用者（２）または物体の個々の特徴を検知し、検知された個々の特徴を記憶された個々の特徴と比較し、一致した場合には前記昇降装置に通報し、
前記少なくとも一つのさらなる装置が、運搬する前記昇降機利用者（２）または物体の重量を検知する荷重測定装置（４）と、コンパレータ（８）とを備え、該コンパレータ（８）が、前記荷重測定装置（４）の検知した前記重量を記憶された重量と比較し、一致した場合には前記昇降装置の昇降機ケージ（１）の解放信号（ＦＧＳ）を発生することを特徴とするシステム。
【請求項２】
昇降機利用者（２）または物体に装備する情報発信器（５）と、前記情報発信器（５）のデータを受信する少なくとも一つの識別装置（６）とを備える昇降装置用識別システムであって、情報発信器のデータは、昇降機利用者（２）または物体の記憶された個々の特徴を含みまたは検索し、前記昇降装置用識別システムはさらに、
少なくとも一つのさらなる装置を、昇降機ケージ（１）に備え、該少なくとも一つのさらなる装置は、前記昇降機利用者（２）または物体の個々の特徴を検知し、検知された個々の特徴を記憶された個々の特徴と比較し、一致した場合には前記昇降装置に通報し、
前記少なくとも一つのさらなる装置が、前記昇降機利用者（２）の体のマスにより影響され得る共振回路（Ｌ、Ｃ）およびコンパレータ（８）を備え、共振回路（Ｌ、Ｃ）の共振周波数が、前記体のマスによって決定されかつ測定装置（９）により測定可能であり、前記コンパレータ（８）が、前記測定装置（９）の検知した体のマスを記憶された体のマスと比較し、一致した場合には前記昇降装置の昇降機ケージ（１）の解放信号（ＦＧＳ）を発生することを特徴とするシステム。
【請求項３】
前記コンパレータ（８）に接続され、前記昇降機利用者（２）および／または物体の重量が保存されたデータバンク（７）をさらに備え、前記昇降機利用中の個々の重量の変化に対応可能であることを特徴とする請求項１に記載のシステム。
【発明の詳細な説明】
【０００１】
【発明の属する技術分野】
本発明は情報発信器を昇降機利用者および／または物体に装備し、かつ前記情報発信器のデータを受信する少なくとも一つの識別装置を伴う昇降装置用識別システムに関する。
【０００２】
【従来の技術】
昇降機利用者が携行する情報発信器によりデータを昇降装置の識別装置に送信する昇降装置用識別システムはヨーロッパ特許出願第ＥＰ  ０  ６９９  ６１７号により公知となっている。データは昇降機利用者の識別用情報および昇降機利用者の希望する行き先階に関する情報により構成することができる。情報発信器と識別装置との間の通信は、たとえば、無線周波数によって行う。データ処理装置により検証される昇降機利用者のデータによって希望する行き先階の実行許可が出た場合には、その希望行き先階が昇降装置に伝達される。行き先呼び昇降機制御装置により希望行き先階が特定の昇降機ケージに割り当てられ、その割り当てが表示装置により昇降機利用者に示される。
【０００３】
公知のシステムには、未確認の昇降機利用者、いわゆる無断乗降者と許可された利用者とが一緒に昇降機ケージに入った場合に無断乗降者が識別されず、昇降機ケージ内が過荷重となり得る欠点がある。また、指定階への無断乗降者のアクセスが可能であるために特定の人のための階の安全が保証されない。
【０００４】
【発明が解決しようとする課題】
本発明は上記の欠点を是正するものである。本発明は、請求項１に特徴を示すように、公知の装置の欠点を回避しかつ運搬すべき昇降機利用者および／または物体を識別することができる識別システムを作るという課題を解決するものである。
【０００５】
【課題を解決するための手段】
本発明によって達成される長所の要点は、行き先呼び昇降機制御装置の機能様態が未確認の昇降機利用者および／または物体によって乱されないことである。さらに、人物および／または物品の確認を必須とすることにより各階の安全性が向上する長所がある。
【０００６】
以下に本発明の一実施形態を示す図面を参照してさらに詳細に説明する。
【０００７】
【発明の実施の形態】
図１は昇降機利用者２が乗っている昇降機ケージ１を示す。昇降機ケージ１は、図示しないドライブにより駆動されるドライブプーリで案内するケーブル３の一端に懸架し、かつ図示しないカウンターウェイトをケーブル３の他端に配置する。昇降機ケージ１および昇降機利用者２の重量を測定する荷重測定装置４を前記ケーブル端部と昇降機ケージ１との間に配置する。また荷重測定装置４は最新の技術で公知のように昇降機ケージ１の床内に一体化することもできる。その場合は、昇降機ケージに乗っている昇降機利用者および物体の重量は直接測定される。さらに、ケージ荷重を測定するには昇降機ケージ１をスプリングに搭載し、支持フレームのアッパヨークに関して昇降機ケージの変位を測定するシステムとしてもよい。荷重によってケージの上昇限度の間隔が変化するので、その間隔をアッパヨークに配置したセンサによって測定し荷重に対応する信号を発信する。また、荷重の測定は昇降機ケージ１の前の画定した空間内においても行うことができる。
【０００８】
昇降機利用者２は識別用の情報発信器５を携行する。買い物用ワゴン車、荷物運搬用台車、病院のベッド、コンテナ等の物体にも情報発信器を装備することができる。情報発信器５は、クレジットカード、腕時計、キーホルダー、ボタンまたは認印付き指輪等の形式があり、かつ発信器、受信器、メモリおよび電池を持つ能動的要素あるいは電磁界により給電される受動的要素として実施することができる。情報発信器５は昇降機の領域外では休止しており、少なくとも一つの識別装置６が放射する電磁界により励起される。識別装置６は図１のように昇降機ケージ内および／または階に配置することができる。階に配置した識別装置６の場合は、識別は昇降機ケージ１の乗り込みまたは積み込み前に行われる。
【０００９】
識別の際には、情報発信器５はデータを識別装置６に送信する。データは、たとえば希望行き先階、昇降機利用者２の身分証明コード、昇降機利用者の体重、体のサイズ、容貌等の個別の特徴に関する情報、あるいは運搬する物体に関する情報により構成する。昇降機利用者２の体重あるいは運搬する物体の重量はデータバンク７に保存し識別に利用することもできる。このデータバンクは昇降機使用中の個別の重量の変化にも対応可能である。また重量データバンクは昇降機の利用中に昇降機利用者２の体重または物体の重量を検知および蓄積して構築することもできる。
【００１０】
ケージドアが閉まる前に昇降機利用者および／または物体の確認済み重量がコンパレータ８に伝達され、コンパレータは荷重測定装置４が検知した昇降機ケージ１内の重量を確認済み重量と比較する。昇降機ケージ１内の重量が確認済み重量より一定量多い場合には、コンパレータ８は解放信号ＦＧＳを発信しない。昇降機ケージ１は停止状態を続け、昇降機ケージ１内またはその前面でこれに対応する光学および／または音響信号が発生する。測定された重量が確認済み重量と一致した場合には、解放信号ＦＧＳが昇降機制御装置に伝達され、昇降機ケージ１が発進する。
【００１１】
図２は昇降機利用者２の特徴を電磁波により検知する、変形例を示す。この場合は図１に示す荷重測定装置４に代えてインダクタンスＬとキャパシタＣとにより構成する共振回路を用いることができる。共振周波数は測定装置９により測定する。昇降機利用者２がキャパシタＣの比誘電率に影響を与えることにより、キャパシタＣの容量が変化する。ＬＣ比によって共振回路の共振周波数が決定する。共振回路は昇降機利用者個々の体のマス（ｍａｓｓ）にしたがってオフ・レゾナンスに調整される。測定装置９は体のマスによって変化する共振周波数を測定し、これに対応するマス信号を発し、信号をコンパレータ８に伝達する。測定されたマスが確認済みのマスと一致した場合には、解放信号ＦＧＳが昇降機制御装置に伝達され、昇降機ケージ１が発進する。
【００１２】
図３は、運搬する昇降機利用者２を圧力波により検知する、さらなる変形例を示し、音響測深の原理を利用したものである。発信器１０は昇降機ケージ１に圧力波ＤＷを放射する。受信器１１は昇降機ケージ１内の昇降機利用者２のイメージを吸収波または反射波ＲＷにより捕捉し、そのイメージをコンパレータ８に伝達する。測定されたイメージが確認済みのイメージと一致した場合には、解放信号ＦＧＳが昇降機制御装置に伝達され、昇降機ケージ１が発進する。
【００１３】
また、昇降機利用者２の立っている区域で吸収特性を記録する方法もある。その場合は、床に表面波を浸透させ、その床面のローディングを反射パターンにもとづいて検知する。
【図面の簡単な説明】
【図１】識別システムの概略図である。
【図２】昇降機利用者の特徴を探知する、本実施例の変形を示す図である。
【図３】昇降機利用者の特徴を探知する、本実施例の変形を示す図である。
【符号の説明】
１  昇降機ゲージ
２  昇降機利用者
４  荷重測定装置
５  情報発信器
６  識別装置
７  データバンク
８  コンパレータ
【図１】
0004199321.tif 000002
【図２】
0004199321.tif 000003
【図３】
0004199321.tif 000004